(57)【要約】【課題】  簡単にペットボトルなどのネジ蓋が開けられ、装飾品としても優れた効果を有し、最小限度の多機能性を付与した使い勝手の良いネジ蓋のオープナーを提供すること。【解決手段】  水鳥の胴体部３と、プルタブ起こしとして使用可能な嘴１ａ，１ｂを有し、前記胴体部３に着脱可能に挿嵌された胸頭部１と、前記胴体部の上面に載置されたコースター兼用のネジ蓋回し２から成る水鳥型ネジ蓋オープナーであって、前記ネジ蓋回し２は、水鳥の背中を模した把持部にネジ蓋と係合する複数の摩擦爪２ｄを有し、ネジ蓋の外周と係合できるようにして、小さな力でネジ蓋を回動できるようにしたものである。【選択図】    図２
2006273422.tif 000002
【特許請求の範囲】
【請求項１】
水鳥の胴体部と、プルタブ起こしとして使用可能な嘴を有すると共に前記胴体部に着脱可能に挿嵌された胸頭部と、前記胴体部の上面に載置されたコースター兼用のネジ蓋回し、から成る水鳥型ネジ蓋オープナー。
【請求項２】
水鳥の胴体部には胸頭部を挿嵌する開口部を設け、該開口部の後方壁面には水平方向に突出した半円筒状凸部から成る係止部が形成され、前記水鳥の胸頭部の挿嵌基胸部には前記胴体部の開口部に設けた係止部と嵌合する凹部と、ストッパを設けたことを特徴とする請求項１記載の水鳥型ネジ蓋オープナー。
【請求項３】
コースター兼用のネジ蓋回しは、水鳥の背中を模した把持部にネジ蓋と係合する複数の摩擦爪を有する爪板を設けたことを特徴とする請求項１又は２記載の水鳥型ネジ蓋オープナー。
【発明の詳細な説明】
【技術分野】
【０００１】  この発明は、特にテーブルの上などに置いてインテリア用品としても使用できるネジ蓋を容易に回動して開けるための器具に関する。
【背景技術】
【０００２】  最近では、ペットボトル等の簡易容器の使用が多くなり、自動販売機はもとより、スーパーの食品売り場等に置かれている飲料水や液体調味料等の容器は、殆どのものが前記ペットボトルのようなプラスチック容器として使用されている。
ところで、このようなプラスチック容器の蓋の多くはネジ蓋が使用されており、その蓋が使用前の弛みを防止するため、ボトルの雄ネジ部に強く固定されているため、力の弱い老人や子供にはなかなか開け難いものである。【０００３】  このようなプラスチックボトルのネジ蓋を容易に回動して開けるための器具（以下「オープナー」と呼ぶ）としては、様々な形態の器具が提案されている。例えば文献１に見られるものは、ペットボトルの蓋を開閉可能な挟圧桿で挟んで回動させるようになっており、文献２に見られるものは、蓋の外周に設けられた筋目に器具の内面に設けたローレット目を係合させるようになっている。
また、文献３にはアームを設けて更に握り易くて、且つ回し易くしたものが記載されている。文献４、５には蓋の外周にオープナーが食いつきやすく爪を設けたものが記載されており、特に文献５では缶容器のプルタブオープナーと組み合わせて多機能性をも付与している。
しかしながら、これらのオープナーは、通常は食器棚の引き出しに入れたり、テーブルの近くの棚にのせたり、紐で吊り下げたりしておいて、必要なときにそこまで取りに行って使用している。したがって、ペットボトルのネジ蓋を開けたい時、わざわざオープナーを取りに行ったり、探したりするのに結構不便を感じ、特に老人の場合はテーブルから立ち上がって探しに行くのさえ苦痛と不便を感じているのが現状である。【０００４】
【特許文献１】        登録実用新案第３０４７９６７号公報
【特許文献２】        特許公開２００１−１１４３９５号公報
【特許文献３】        特許公開２００４−２０３４７８号公報
【特許文献４】        特許公開２００３−３００５９７号公報
【特許文献５】        特許公開２００１−１５８５００号公報
【発明の開示】
【発明が解決しようとする課題】
【０００５】  この発明は、前述した背景に鑑みて、老人や子供のような力の弱い者でも簡単にペットボトルなどのネジ蓋が開けられ、且つ常にテーブルの上にさりげなく置いてあっても邪魔にならず、装飾品としても優れた効果を有し、わざわざオープナーを探すために席を立つ必要もなく、最小限度の多機能性を付与した使い勝手の良いネジ蓋のオープナーを提供することを目的とするものである。
【課題を解決するための手段】
【０００６】    請求項１に記載された発明は、水鳥の胴体部と、プルタブ起こしとして使用可能な嘴を有すると共に前記胴体部に着脱可能に挿嵌された胸頭部と、前記胴体部の上面に載置されたコースター兼用のネジ蓋回し、から成る水鳥型ネジ蓋オープナーである。請求項２に記載された発明は、胴体部には胸頭部を挿嵌する開口部を設け、該開口部の後方壁面には水平方向に突出した半円筒状凸部から成る係止部が形成され、前記水鳥の胸頭部の挿嵌基胸部には前記胴体部の開口部に設けた係止部と嵌合する凹部と、ストッパを設けたもので、請求項３に記載された発明は、前記コースター兼用のネジ蓋回しには、水鳥の背中を模した把持部にネジ蓋と係合する複数の摩擦爪を有する爪板を設け、容易に蓋の外周と係合できるようにしたものである。
【発明の効果】
【０００７】  この発明は、上記構成により、老人や子供のような力の弱い者でも簡単にペットボトルなどのネジ蓋が開けられ、且つ常にテーブルの上にさりげなく置いてあっても邪魔にならず、インテリア用品としても優れた装飾効果を有し、わざわざオープナーを探すために席を立つ必要もなく、缶容器のプルタブにも適用できる最小限度の多機能性を付与した使い勝手の良いネジ蓋のオープナーを提供できる効果を有する。
また、この水鳥型のネジ蓋オープナーの胴体部３に載置されたネジ蓋回し２は、後述するようにその内側にネジ蓋の外周表面と係合する摩擦爪が設けられているが、開栓後、そのままテーブル上に置くことにより、飲料用容器のコースターとしても使用できるものであり、ネジ蓋回しを取り外した胴体部は、後述する胴体上部のトレー部にそのまま開栓後のペットボトルを載せるとができるので、インテリア用品として、装飾効果のみならず優れた機能的効果をも有するものである。
【発明を実施するための最良の形態】
【０００８】    図１１は、この発明の実施の形態を示したもので、テーブルの上に置いたこの発明の水鳥Ｈの胴体部３の背中に開栓後のペットボトルＰを載せ、ペットボトルの蓋を開けるのに使用したネジ蓋回し２は、使用する飲料用容器Ｃのコースターとして使用している。
【実施例】
【０００９】  以下、この発明の実施の形態を実施例に基づき説明する。図１は、この発明の水鳥型のネジ蓋オープナーの組み立て斜視図で、水鳥として白鳥をイメージしたものである。胴体部３の上にネジ蓋回し２が載置されており、水鳥の胸頭部１は、Ｂで示す胸部の先端部で胴体部３に着脱自在に取り付けられている。そして、前記胸頭部１のＡで示される嘴の部分が缶容器のプルタブ起こしを構成している。
胴体部３に載置されたネジ蓋回し２は、後述するようにその内側にネジ蓋の外周表面と係合する摩擦爪が設けられているが、このまま取り外して、テーブル上に置くことにより、コースターとしても使用できるものであり、ネジ蓋回しを取り外した胴体部は、後述するトレー部が形成されるので、図１１に見られるように、そのままビールやペットボトルを載せることができる。
なお、以下の説明においては、同一機能を有する部材や部位、構成部分については同一の符号、又は添字を付けて、説明を省略する場合がある。【００１０】  図２は、この発明の説明用分解図で、以下に説明する各構成部分から組み立てられている。胸頭部１は、上嘴１ａと下嘴１ｂとを有する頭部１ｃ、首部１ｄ及び胸部１ｅを含む部位の総称であって、胸部１ｅの下端部である基胸部１ｇは、後述する胴体部３に着脱可能に挿嵌する部分で半円筒状の凹部１ｈとストッパ１ｆが形成されている。
ネジ蓋回し２は、把持部２ａ、爪板２ｃ、上部カバー２ｅを含む部位の総称であって、把持部２ａには爪板２ｃを嵌入する爪板嵌入孔２ｂが設けられており、爪板２ｃは、ペットボトル等のネジ蓋の外周に係合する複数の摩擦爪２ｄが一体に形成されている。
そして、この摩擦爪２ｄは上下方向に平行でも良いが、僅にネジ蓋の開栓回動方向に傾けて形成するのが好ましい。
上部カバー２ｅはネジ蓋回しの把持部２ａの上面に適当な固着手段により固定され、爪板嵌入孔２ｂと組み合わされて爪板２ｃの挿入取付け凹部を構成する。
胴体部３は、基板３ａと底板３ｂから成り、基板３ａには縁付きのトレー部３ｃと長方形の挿嵌開口部３ｄが形成され、挿嵌開口部３ｄの後方壁面には水平方向に突出した半円筒状凸部から成る係止部３ｅが形成されている。【００１１】  図３は、胴体部３の構造説明図で、（ａ）は平面図、（ｂ）はＡ−Ａ断面図である。３ｄは前述した挿嵌開口部で、開口部の後方壁面には図のような水平方向に突出した半円筒状凸部から成る係止部３ｅが形成されている。
底板３ｂは、図のように基板３ａの底部に印籠式に嵌め込まれて周知の手段により固定されることにより、縁付きのトレー部３ｃを構成する。
図４は、ネジ蓋回し２の底部平面部で、複数の摩擦爪２ｄを有する爪板２ｃが上部カバー２ｅと爪板嵌入孔２ｂとによって構成された前記挿入取付け凹部に嵌入されている。この爪板２ｃは、適当な固定手段により前記取付け凹部内に固定される。
なお、ネジ蓋回しの外周の一部には飾りを兼ねた指かけ摩擦部２ｆが必要に応じて形成される。【００１２】  図５は、図１のＡで示す部位の拡大斜視図で、水鳥の上嘴でプルタブ起こしを構成する例を示すものである。ここでは、上嘴１ａと下嘴１ｂとは互いに離反する方向に反り返っており、上嘴１ａの先端部の方を下嘴１ｂの先端部よりも大きく湾曲させることにより、上嘴１ａの先端部で缶容器のプルタブを引っかけるプルタブ起こしを構成する。なお、上嘴１ａの先端部の一部１ｎのみを湾曲させてもよい。
図６は、同じく図１のＡで示す部位の拡大斜視図で、水鳥の下嘴でプルタブ起こしを構成する例を示すものである。この場合は、機能的に見て上嘴をプルタブ起こしに使用するのに比べて下嘴にはより大きな湾曲した返りが必要である。したがって、嘴全体を湾曲させるよりは図のように下嘴１ｂの先端部の一部１ｎのみを大きく湾曲させるのが好ましい。【００１３】  図７は、図１のＢで示す部位の部分拡大断面図で、これによって、水鳥の胸頭部１と胴体部３との着脱作用を説明する。
先ず、水鳥の胸頭部１が胴体部３に図１に示すように組み立てられている時は、実線で示すように、基胸部１ｇが胴体部３の基版３ａの挿嵌開口部３ｄに挿入され、ストッパ１ｆと基板３ａの係止部３ｅに係合した半円筒状の凹部１ｈとで位置決め固定された状態となっている。
この状態で水鳥の胸頭部１を外す場合、先ず、矢印ａの方向に水鳥の胸頭部１を持って傾け、破線の状態になってから矢印ｂの方向に引き上げると、水鳥の胸頭部１は、簡単に胴体部３から外すことができる。【００１４】  図８は、水鳥の上嘴で缶容器のプルタブを開ける場合の説明図である。
この場合は、先ず図１の状態から水鳥の胸頭部１を図７で説明したような手順で外し、図８の（ａ）に示すようにその上嘴を矢印ａ方向にプルタブの隙間に差し込み、矢印ｂに示すように下方に傾けることにより、極めて容易にプルタブを開けることができる。
図９は、水鳥の下嘴で缶容器のプルタブを開ける場合の説明図で、先ず図９の（ａ）に示すようにその下嘴を矢印ａに示す方向に引いてプルタブの隙間に差し込み、矢印ｂに示すように上方に傾けることにより、極めて容易にプルタブを開けることができる。
このように、水鳥の嘴を使ってプルタブを引き上げる場合、互いに反対側の嘴が梃子の支点として作用するので、小さな力で容易にプルタブの開栓が行われるのである。【００１５】  図１０は、ネジ蓋回し２を使ってペットボトルなどのネジ蓋を使用した容器の開栓を行う場合の説明図である。
この場合は、先ず図１の水鳥の胴体部３に載置されたネジ蓋回し２を取り上げて、天地を返し、矢印Ａに示す方向に容器５の蓋４に爪板２ｃの摩擦爪２ｄを押しつけ、次いで矢印Ｂに示すように把持部２ａを回動することにより、摩擦爪２ｄが蓋４の表面に強く接触し、容易にネジ蓋を回動して開栓することができるのである。【００１６】  なお、この発明のオープナーは、装飾品としての付加価値を高めるには、主要な構成部品は木材を使用するのが好ましいが、必要に応じて適当な合成樹脂の成型品を使用することも推奨される。
また、ネジ蓋回し２に設けた摩擦爪２ｄは、一枚ずつネジ蓋回しに埋め込むことも考えられるが、量産品の場合は合成樹脂の部品成形時にインサート成形部品として使用するのが好ましい。
【図面の簡単な説明】
【００１７】
【図１】水鳥型のネジ蓋オープナーの組み立て斜視図である。
【図２】この発明のネジ蓋オープナーの説明用分解図でである。
【図３】胴体部３の構造説明図である。
【図４】ネジ蓋回し２の底部平面図である。
【図５】図１のＡで示す部位の拡大斜視図である。
【図６】図１のＡで示す部位の他の実施例の拡大斜視図である。
【図７】図１のＢで示す部位の部分拡大断面図である。
【図８】上嘴で缶容器のプルタブを開ける場合の説明図である。
【図９】下嘴で缶容器のプルタブを開ける場合の説明図である。
【図１０】ネジ蓋回しの使用例を示す説明図である。
【図１１】この発明の実施の形態表示図である。
【符号の説明】
【００１８】      Ｈ・・・・・水鳥型のネジ蓋オープナー
１・・・・・胸頭部
１ａ・・・・上嘴
１ｂ・・・・下嘴
１ｆ・・・・ストッパ
１ｇ・・・・挿嵌基胸部
１ｈ・・・・凹部
２・・・・・ネジ蓋回し
２ａ・・・・把持部
２ｃ・・・・爪板
２ｅ・・・・上部カバー
２ｄ・・・・摩擦爪
３・・・・・胴体部
３ｄ・・・・開口部
３ｅ・・・・係止部
【図１】
2006273422.tif 000003
【図２】
2006273422.tif 000004
【図３】
2006273422.tif 000005
【図４】
2006273422.tif 000006
【図５】
2006273422.tif 000007
【図６】
2006273422.tif 000008
【図７】
2006273422.tif 000009
【図８】
2006273422.tif 000010
【図９】
2006273422.tif 000011
【図１０】
2006273422.tif 000012
【図１１】
2006273422.tif 000013